(57)【要約】【課題】  シートを様々な方向から引っ張っても途中で破断したり、残りのシートが一緒に脱落してしまうようなことがなく、一枚ずつ確実に捲り取ることができ、且つ低コストで容易で製造することができる冊子を提供する。【解決手段】  多数積層したシート２を揃えて垂直に裁断形成された矩形状の小口面３に、それぞれのシート２の小口面３を構成する一辺の中央位置に形成された半円弧状の切欠部４により、シート積層方向に連続する接着溝が形成されており、前記接着溝内に接着剤を充填して固化させて形成した接着ピース５を介して、シート２どうしが連結されている。【選択図】  図２
0003139785.tif 000002
【実用新案登録請求の範囲】
【請求項１】
多数積層したシートを揃えて垂直に裁断形成された矩形状の小口面に、それぞれのシートの前記小口面を構成する一辺の中央位置に形成された半円弧状の切欠部により、シート積層方向に連続する接着溝が形成されているとともに、前記接着溝内に充填されて固化した接着剤からなる接着ピースを介して、シートどうしが連結されていることを特徴とする冊子。
【請求項２】
接着ピースの小口面に露出した面に、前記小口面を覆う硬質の背表紙の裏面が接着されてことを特徴とする請求項１記載の冊子。
【請求項３】
接着ピースの小口面に露出した面に、吊り紐が装着された紐取付具が接着されていることを特徴とする請求項１記載の冊子。
【考案の詳細な説明】
【技術分野】
【０００１】
本考案は、伝票用紙や日捲りカレンダーのように、多数積層したシートを一枚ずつ剥がして使用するための冊子に関する。
【背景技術】
【０００２】
従来の伝票用紙や日捲りカレンダーのような冊子は、多数のシートが積層されていて、垂直に裁断されている１つの小口面が背表紙にのり付けされて構成されている。このような冊子は、上面のシートを捲り取る際に、引っ張る方向によっては、途中から破れてしまったり、隣接する下のシートも一緒に捲り取れて無駄にしてしまうことがある。
【０００３】
また、記入済みの伝票が破れてしまったときなどは、再度記入する手間がかかり、さらに、日捲りカレンダーのように使用済みの日付けのものを捲り取った際にその背後のものが一緒に脱落してしまうと、カレンダーとしての機能に支障をきたす問題もある。
【０００４】
一方、このような問題を解消するために、特許文献１においては、印刷した書写用紙の多数枚を重ね合わせた綴代側背面部の中央部分とその両側近傍部分に糊付けを施して綴じ合わせ、その上に表紙を付けて冊子に仕上げた、切り離し容易な冊子が提案されている。
【特許文献１】実用新案登録第３０９１３５３号公報
【０００５】
前記特許文献１に記載されている冊子は、例えば領収書の書写用紙に文字や数字を記載し、さらに捺印を終えた後、重ね合わせた表層の書写用紙を綴代側背面部の端部から捲り上げながら、下層の書写用紙から剥ぎ取るように引き離して行くと、引き離される書写用紙は、下層の書写用紙との継ぎ目の両端部に糊の未塗布部分を作ることによって形成された引裂口に沿って引き裂かれていくため、当該書写用紙を破ることなく容易に引き離すことができるというものである。
【考案の開示】
【考案が解決しようとする課題】
【０００６】
しかしながら、前述した特許文献１に記載されている構造の冊子は、机の上に水平において捲り取る伝票用紙等に使用する場合には有効であると考えられるが、例えば、日捲りカレンダーや、店頭、あるいはバス等の車両内に吊して自由に捲り取れるようにした、商品や旅行案内のチラシ等の冊子として用いる場合には、様々な方向から引っ張って剥されることが想定され、特に壁や柱に吊して冊子に綴じられているシートが真下に引っ張られた場合には、当該シートに過大な力が作用して途中で破けたり、捲り取ろうとしたシートの下に綴じられているシートが一緒に引っ張られて脱落してしまう虞がある。
【０００７】
そこで、本考案は、前述したような従来技術における問題を解消し、シートを様々な方向から無造作に引っ張っても途中で破断したり、残りのシートが一緒に脱落してしまうようなことがなく、一枚ずつ確実に捲り取ることができ、且つ、低コストで容易で製造することができる冊子を提供することを目的とする。
【課題を解決するための手段】
【０００８】
前記課題を解決するため、本考案の冊子は、多数積層したシートを揃えて垂直に裁断形成された矩形状の小口面に、それぞれのシートの前記小口面を構成する一辺の中央位置に形成された半円弧状の切欠部により、シート積層方向に連続する接着溝が形成されているとともに、前記接着溝内に充填されて固化した接着剤からなる接着ピースを介して、シートどうしが連結されていることを特徴としている。
【０００９】
本考案の冊子においては、接着ピースの小口面に露出した面に、前記小口面を覆う硬質の背表紙の裏面が接着されていることが好ましい。また、接着ピースの小口面に露出した面に、吊り紐が装着された紐取付具が接着されていることも望ましい。
【考案の効果】
【００１０】
請求項１記載の考案に係る冊子によれば、捲り取ろうとするシートと引っ張ると、前記シートに作用する力は半円弧状の切欠部全体に分散されて、接着ピースとの接着端となっている小口面側から滑らかに剥離されるので、様々な方向から引っ張っても、当該シートを破ることなく容易に捲り取ることができる。
【００１１】
また、接着溝内で接着剤を固化して形成されている接着ピースは変形しにくい短柱状であり、それぞれのシートは接着ピースのみを介して連結されているため、一枚のシートを捲り取る際に、他のシートが引きずられて一緒に脱落してしまう虞がない。
【００１２】
さらに、各シートは、接着剤が固化して形成された接着ピースのみで連結して一冊の冊子を構成することができるため、従来の伝票用紙等の冊子のように、背表紙を糊付けする必要が無く、容易に且つ低コストで製造することができる。
【００１３】
請求項２記載の考案に係る冊子によれば、請求項１記載の考案の効果に加えてさらに、接着ピースは硬質の背表紙の裏面に接着していることによって補強されるため、接着ピースの断面積を小さくでき、接着ピースを形成するための接着剤の使用量を節約することができる。
【００１４】
また、背表紙がシートの切欠部と接着ピースの小口面に面している接着部分を覆っているため、冊子をカバン等に入れて持ち運ぶ際などに、上面のシートのこの接着部分がカバンの内側などに当たって剥離してしまうことを防止することができる。
【００１５】
また、背表紙は、積層されているシートの小口面に露出している接着ピースの表面に裏面側を接着して装着されているため、接着工程が簡単であり、従来の冊子のように、背表紙を積層されたシートの小口面に糊付けする場合と比較して容易に且つ低コストで製造することができる。
【００１６】
請求項３記載の考案に係る冊子によれば、請求項１記載の考案の効果に加えてさらに、壁や柱等に吊り紐で吊り下げて使用することが容易にできるとともに、接着ピースが紐取付具に接着して補強されているため、接着ピースの断面積を小さくしてこれを形成するための接着剤の使用量を節約することができる。
【考案を実施するための最良の形態】
【００１７】
以下、図面に基づいて、本考案の実施形態を説明する。
図１は、本考案の冊子の１実施形態を示す平面図、図２はその斜視図であって、これらの図に示すように、本考案の冊子１は、シート２を揃えて多数積層して垂直に裁断して形成された矩形状の小口面３を有している。
【００１８】
前記小口面３を構成しているそれぞれのシート２の上辺の中央部には、半円状の切欠部４が形成されていて、これらの切欠部４がシート２の積層方向に連続して図にはあらわれていない接着溝を構成している。
【００１９】
各シート２は、前記接着溝内に充填されて固化された接着剤によって形成された接着ピース５を介して相互に連結されている。前記接着ピース５を形成している接着剤には、本実施形態においては、市販の紙用ホットメルト接着剤が用いられていて、接着溝内で固化して撓みや捻れに対して高い剛性が得られるものが用いられている。
【００２０】
図３は、前述したように構成されている冊子１の積層されたシート２から上面の１枚を捲り取った時の状態を示すものであって、シート２を手で引っ張ったときに、どのような方向に引っ張る力が作用しても、接着ピース５に接合している切欠部４の周縁部が半円弧状であるため、引っ張った時に荷重が切欠部４周縁全体に分散することで、当該シート２が破断することはなく、接着ピース５から容易に剥離することができる。
【００２１】
また、捲り取られるシート２と他のシート２とは、接着ピース５のみを介して連結されているので、隣接するシート２が引きずられて脱落してしまうようなことはない。また、接着ピース５は、短柱状に固化して高い剛性を有しているため、シート２を捲り取る際に、捻れや撓み変形を生じて、他のシート２が剥離して脱落してしまうこともない。
【００２２】
従って、図４に示すように、多数積層されているシート２の途中のものが引き抜かれた場合にも、これに隣接するシート２は、引き抜かれたシート２から干渉を受けることなく接着ピース５によって安定して保持されているため、冊子１に積層されているシート２全部を最後まで無駄なく使用することができる。
【００２３】
なお、前述した実施形態においては、切欠部４の輪郭は完全な半円弧に形成しているが、切欠部の形状は、例えば、半円弧の輪郭に近似した楕円や放物線等の滑らかな曲線輪郭で形成されていてもよく、これらの輪郭形状のものも、本考案における半円弧状の切欠部の中に含まれるものとする。
【００２４】
次に、前述した冊子１の製造方法について簡単に説明すると、先ず、製造する冊子のサイズの縦方向に２つ分のサイズに裁断されて多数積層されたシートを用意し、これを揃えて前述した切欠部４の半径に等しい半径の孔をシートの縦横の中間位置に垂直に貫通形成する。
【００２５】
次に、この孔内にホットメルト接着剤を加熱してペースト状になったものを充填した後、冷却して孔内で固化させて接着ピース５の原形を形成し、次いで、前記孔の中心を裁断機の切断刃が通過するようにして、孔内に充填固化されている接着剤ごと、積層したシートを裁断して小口面３どうしを対向させた規定のサイズのシート２がそれぞれ積層された２組の冊子１を完成させる。
【００２６】
なお、孔を貫通形成した後、小口面３を先に裁断形成して、そこに形成された横断面半円形状の接着溝内にホットメルト接着剤を充填して接着ピース５を形成するようにしてもよい。
【００２７】
次に、図５は、本考案の冊子の別の実施形態を示す斜視図であって、同図に示す冊子１Ａは、前述した冊子１の小口面３（図２参照）に硬質の背表紙６を取り付けたものである。前記背表紙６はその裏面側において、積層されたそれぞれのシート２には接着されておらず、接着ピース５の小口面に露出した面にのみ接着されている。なお、背表紙６の素材としては、接着ピース５に接着可能な厚手のボール紙や木製の板材、硬質な樹脂板等を使用することができる。
【００２８】
本実施形態の冊子１Ａにおいては、硬質の背表紙６を取り付けたことによって、接着ピース５が補強されるため、接着ピース５の断面積を小さくして接着ピース５の形成に必要な接着剤の量を節約することができる。
【００２９】
また、背表紙６がシート２の切欠部４と接着ピース５との小口面に面している接着部分を覆っているため、冊子をカバン等に入れて持ち運ぶ際などに、上面のシート２のこの接着部分がカバンの内側などに擦れて剥離してしまうことを防止できる。さらに、背表紙６の表面には、様々な印刷等を施すことができるとともに、必要に応じて吊り紐等を取り付けて壁等に吊して使用することも可能である。
【００３０】
また、図６は、本考案の冊子のさらに別の実施形態を示す斜視図であって、同図に示す冊子１Ｂは、接着ピース５の小口面３に露出した面に、積層されたシート２の厚みに略等しい長さの短い柱状の紐取付具７を接着し、これに形成されている紐通し孔７Ａに吊り紐８を通してこの吊り紐８で壁や柱等に吊り下げて使用できるようにしたものである。
【００３１】
本実施形態のものにおいては、紐取付具７が接着ピース５に接着されて補強されているため、接着ピースの断面積を小さくしてこれを形成するための接着剤の使用量を少なくすることができる。
【００３２】
なお、紐取付具７は、硬質の樹脂や木材等で製作することができる。また、紐取付具７と接着ピース５との接着面は、小口面３と同一平面内にある平坦面としてもよいが、本実施形態においては、紐取付具７と接着ピース５との間の接着面積を広く確保して、接着強度を高めることと、接着ピース５の体積を少なくして使用するホットメルト接着剤の量を節約するために、紐取付具７の接着ピース５との接着面を円柱状ないし楕円柱状に形成して、積層されたシート２の切欠部４の重なりによって形成されている横断面半円形状の接着溝内に一部が侵入するように構成している。
【産業上の利用可能性】
【００３３】
本考案の冊子は、伝票用紙やメモ帳、日捲りカレンダー、あるいは、チラシ等、シートを一枚ずつ捲り取って使用する様々な用途に幅広く利用可能である。
【図面の簡単な説明】
【００３４】
【図１】本考案の冊子の１実施形態を示す平面図である。
【図２】本考案の冊子の１実施形態を示す斜視図である。
【図３】本考案の冊子の１実施形態における積層されたシートの上面の１枚を捲り取った時の状態を示す斜視図である。
【図４】本考案の冊子の１実施形態における積層されたシートの途中位置からシートを抜き取った時の状態を示す斜視図である。
【図５】本考案の冊子の別の実施形態を示す斜視図である。
【図６】本考案の冊子のさらに別の実施形態を示す斜視図である。
【符号の説明】
【００３５】
１、１Ａ、１Ｂ    冊子
２            シート
３            小口面
４            切欠部
５            接着ピース
６            背表紙
７            紐取付具
７Ａ           紐通し孔
８            吊り紐
【図１】
0003139785.tif 000003
【図２】
0003139785.tif 000004
【図３】
0003139785.tif 000005
【図４】
0003139785.tif 000006
【図５】
0003139785.tif 000007
【図６】
0003139785.tif 000008